(57)【要約】背（１０）と座（６）とを相対位置可変に脚（１）で支持する椅子において、前記脚に対し前記座が上昇するにつれて前方へ移動するようにその座を案内しつつ支持する座支持手段（３）と、前記脚に対し前記背が上昇するにつれて後方へ移動するようにその背を案内しつつ支持する背支持手段（５）と、前記脚に対し前記座が上昇するにつれてその座に対し前記背が上昇するようにそれら背と座と連携させる背座連携手段（１２，１４）と、を具えることを特徴とする背座可変椅子である。  これにより、背座可変椅子の座と背の位置を着座する人の身長に容易に適合させることができ、特に、教室用机・いすに関する日本工業規格に容易にかつその規格の広範囲の号数に亘って適合させることができる。【特許請求の範囲】
【請求項１】
背と座とを相対位置可変に脚で支持する椅子において、
前記脚に対し前記座が上昇するにつれて前方へ移動するようにその座を案内しつつ支持する座支持手段と、
前記脚に対し前記背が上昇するにつれて後方へ移動するようにその背を案内しつつ支持する背支持手段と、
前記脚に対し前記座が上昇するにつれてその座に対し前記背が上昇するようにそれら背と座と連携させる背座連携手段と、
を具えることを特徴とする、背座可変椅子。
【請求項２】
前記背座連携手段は、前記背と座との相対位置を教室用机・いすに関する日本工業規格に規定された複数の位置に選択的に対応させることを特徴とする、請求項１記載の背座可変椅子。
【請求項３】
前記座支持手段は、前記脚に前傾して設けられた座用支柱と、前記座に設けられて前記座用支柱に摺動可能に嵌合する座用嵌合部と、前記座を前記座用支柱に固定位置変更可能に固定する座用固定手段と、を有することを特徴とする、請求項１または２記載の背座可変椅子。
【請求項４】
前記背支持手段は、前記脚に後傾して設けられた背用支柱と、前記背に設けられて前記背用支柱に摺動可能に嵌合する背用嵌合部と、前記背を前記背用支柱または前記座に固定位置変更可能に固定する背用固定手段と、を有することを特徴とする、請求項１から３までの何れか記載の背座可変椅子。
【請求項５】
前記背座連携手段は、前記座および背の一方に後方へ行くほど高くなるように設けられた背座相対位置規制部と、前記座および背の他方に設けられて前記背座相対位置規制部に固定位置変更可能に固定される固定部材と、を有することを特徴とする、請求項１から４までの何れか記載の背座可変椅子。
【発明の詳細な説明】
【技術分野】  この発明は、背と座とを相対位置可変に脚で支持する背座可変椅子に関し、特には、背と座の位置関係を着座する人の身長に容易に適合させ得る背座可変椅子に関するものである。
【背景技術】  背と座とを相対位置可変に脚で支持する椅子としては従来、例えば特開２００２−０３４７０３号公報に記載されたものが知られており、この椅子は、脚が背座支持フレームを上下方向に昇降可能に支持し、その背座支持フレームが背を固定支持するとともに座を前後方向にスライド可能に支持する構成となっている。
ところで、一般に椅子の背と座の位置関係は着座する人の身長に適合させて、背の低い人用には座と背を低くするとともに背を座に近づけるのが好ましく、背の高い人用には座と背を高くするとともに座の上昇分より背の上昇分を大きくし、かつ背を座から遠ざけるのが好ましい。そして特に身長の差異や変化が著しい学童については、そのような背と座の位置関係が、教室用机・いすに関する日本工業規格（現在はＪＩＳ  Ｓ−１０２１）に規定されている。しかしながら上記従来の椅子では、座と背の関係を着座する人の身長に適合させるためには座と背の位置をそれぞれ調節せねばならず、煩雑であるという問題があった。
また上記教室用机・いすに関する日本工業規格には、図９に２号〜５号について例示するように、椅子の座Ｓおよび背Ｂの寸法が学童の身長に応じて０号から６号まで規定されているが、上記従来の椅子では、座に対する背の高さが固定されているため、背を大きめに作っても適合できる号数の範囲が狭いという問題もあった。
【発明の開示】
この発明は、上記課題を有利に解決することを目的とするものであり、この発明の背座可変椅子は、背と座とを相対位置可変に脚で支持する椅子において、前記脚に対し前記座が上昇するにつれて前方へ移動するようにその座を案内しつつ支持する座支持手段と、前記脚に対し前記背が上昇するにつれて後方へ移動するようにその背を案内しつつ支持する背支持手段と、前記脚に対し前記座が上昇するにつれてその座に対し前記背が上昇するようにそれら背と座と連携させる背座連携手段と、を具えることを特徴とするものである。
かかる背座可変椅子にあっては、座支持手段が、脚に対し座が上昇するにつれて前方へ移動するようにその座を案内しつつ支持し、背支持手段が、脚に対し背が上昇するにつれて後方へ移動するようにその背を案内しつつ支持し、そして背座連携手段が、脚に対し座が上昇するにつれてその座に対し背が上昇するようにそれら背と座と連携させる。
従って、この発明の背座可変椅子によれば、着座する人の身長に適合させて座の高さを所望の位置に合わせるだけで、その座の位置に連携して背の位置が着座する人の身長に適合するので、椅子の座と背を着座する人の身長に容易に適合させることができる。
なお、この発明の背座可変椅子においては、前記背座連携手段は、前記背と座との相対位置を教室用机・いすに関する日本工業規格に規定された複数の位置に選択的に対応させるものであってもよく、このようにすれば、座の高さを教室用机・いすに関する日本工業規格に規定された複数の位置の一つである所望の位置に合わせるだけで、その座に対する背の位置が自動的に上記規格に適合して位置するので、容易に座と背の位置を上記規格に適合させて設定或いは変更することができる。しかも、脚に対し座が上昇するにつれてその座に対し背が上昇するようにそれら背と座とを連携させるので、教室用机・いすに関する日本工業規格に規定されたいすの寸法の、広い範囲の号数に適合させることができる。
また、この発明の背座可変椅子においては、前記座支持手段は、前記脚に前傾して設けられた座用支柱と、前記座に設けられて前記座用支柱に摺動可能に嵌合する座用嵌合部と、前記座を前記座用支柱に固定位置変更可能に固定する座用固定手段と、を有すると好ましい。一般に着座する人の身長が高くなるにつれて座面の高さが高くなると同時に座面有効奥行きが増して座先端と背との距離が大きくなるのが好ましく、教室用机・いすに関する日本工業規格では号数が大きくなるにつれて座面の高さが高くなると同時に座面有効奥行きが増して座先端と背との距離が大きくなるところ、上記のようにすれば、背を座で固定支持していない限り、座面の高さが高くなるにつれて座先端と背との距離が大きくなるので、背と座の位置を着座する人の身長や上記規格に容易に適合させることができる。
さらに、この発明の背座可変椅子においては、前記背支持手段は、前記脚に後傾して設けられた背用支柱と、前記背に設けられて前記背用支柱に摺動可能に嵌合する背用嵌合部と、前記背を前記背用支柱または前記座に固定位置変更可能に固定する背用固定手段と、を有すると好ましい。このようにすれば、背を座で固定支持していない限り、背の高さが高くなるにつれて座先端と背との距離が大きくなるので、背と座の位置を着座する人の身長や上記規格に容易に適合させることができる。
さらに、この発明の背座可変椅子においては、前記背座連携手段は、前記座および背の一方に後方へ行くほど高くなるように設けられた背座相対位置規制部と、前記座および背の他方に設けられて前記背座相対位置規制部に固定位置変更可能に固定される固定部材と、を有すると好ましい。このようにすれば容易に、脚に対し座が上昇するにつれてその座に対し背が上昇するようにそれら背と座と連携させることができる。
【図面の簡単な説明】  図１（ａ），（ｂ）は、この発明の背座可変椅子の第１実施例としての背座可変学童椅子を示す斜視図およびそのＡ部の裏側を拡大して示す斜視図である。
図２（ａ），（ｂ）は、上記第１実施例の背座可変学童椅子をＪＩＳ  Ｓ−１０２１の２号対応状態で示す正面図および側面図である。
図３（ａ）〜（ｄ）は、上記第１実施例の背座可変学童椅子をＪＩＳ  Ｓ−１０２１の２号〜５号対応状態でそれぞれ示す側面図である。
図４（ａ），（ｂ）は、上記第１実施例の背座可変学童椅子の一変形例を座を下げた状態と座を上げた状態とでそれぞれ示す側面図である。
図５（ａ），（ｂ）は、上記変形例の背座可変学童椅子を固定ねじを緩めた状態と固定ねじを締め込んだ状態とでそれぞれ示す、図４のＶ−Ｖ線に沿う断面図である。
図６（ａ），（ｂ）は、この発明の背座可変椅子の第２実施例としての背座可変学童椅子を示す斜視図およびそのＢ部の裏側を拡大して示す斜視図である。
図７（ａ），（ｂ）は、上記第２実施例の背座可変学童椅子をＪＩＳ  Ｓ−１０２１の２号対応状態で示す正面図および側面図である。
図８（ａ）〜（ｄ）は、上記第２実施例の背座可変学童椅子をＪＩＳ  Ｓ−１０２１の２号〜５号対応状態でそれぞれ示す側面図である。
図９は、ＪＩＳ  Ｓ−１０２１の２号〜５号に規定された教室用いすの背と座の寸法を示す説明図である。
【発明を実施するための最良の形態】  以下に、この発明の実施の形態を実施例によって、図面に基づき詳細に説明する。ここに、図１（ａ），（ｂ）は、この発明の背座可変椅子の第１実施例としての背座可変学童椅子を示す斜視図およびそのＡ部の裏側を拡大して示す斜視図、図２（ａ），（ｂ）は、上記第１実施例の背座可変学童椅子をＪＩＳ  Ｓ−１０２１の２号対応状態で示す正面図および側面図、図３（ａ）〜（ｄ）は、上記第１実施例の背座可変学童椅子をＪＩＳ  Ｓ−１０２１の２号〜５号対応状態でそれぞれ示す側面図である。
この第１実施例の背座可変学童椅子は一本脚タイプのもので、図中符号１はこの実施例の椅子の脚を示し、ここにおける脚１は、互いに略平行に椅子の前後方向へ延在するとともに両端部に樹脂製の滑り止めを装着された左右二本の足フレーム２と、水平な床面に対し前傾する（上の部位ほど前方に位置する）ように配置されたパイプ状の座用支柱３と、それぞれ両端部を足フレーム２の中間部と座用支柱３の下端部とに溶接固定されて二本の足フレーム２と座用支柱３とを一体的に結合する左右二本の連結フレーム４と、水平な床面に対し後傾する（上の部位ほど後方に位置する）ように配置されて下端部を座用支柱３の中間部に溶接固定されたパイプ状の背用支柱５とを有している。
また、図中符号６はこの実施例の椅子の座を示し、ここにおける座６は、底板６ａを有するとともに、その底板６ａの下面から後方へ向けて斜め下方に延在するように上端部をその下面に固着された、座用嵌合部としてのパイプ状の座支持スライド７を有しており、座支持スライド７は座用支柱３の内側に摺動可能に嵌め合わされている。この座支持スライド７にはその軸線に沿って左右両側に長孔７ａが形成され、ここではＪＩＳ  Ｓ−１０２１の２号〜５号にそれぞれ規定された座の位置に対応させて、それらの長孔７ａの両端及び中間二箇所の合計四箇所に略円形の拡大掛合部７ｂが設けられている。さらに、座６の後部の左右方向中央部には、背用支柱５との干渉を回避するための切欠き６ｂが後端から形成されている。
一方、座用支柱３の上部の左右両側にはねじ挿通孔３ａが形成されており、それらのねじ挿通孔３ａには、座支持スライド７の長孔７ａを通って座支持スライド７および座用支柱３を貫通するようにスライド固定ねじ８が挿通され、そのスライド固定ねじ８の両端部には、ねじ挿通孔３ａおよび拡径掛合部７ｂには嵌まり合うが長孔７ａの幅より大きい外径の軸状部を持つ袋ナット９が螺着されている。
これにより、スライド固定ねじ８に対して袋ナット９を緩めると、拡径掛合部７ｂから袋ナット９の軸状部が外れて、長孔７ａの延在範囲内で座支持スライド７を座用支柱３に対し摺動させて座６を脚１に対し斜めに昇降させることが可能になり、所望の号数に対応する拡径掛合部７ｂとねじ挿通孔３ａとが整列する位置でスライド固定ねじ８に対して袋ナット９を締め込むと、袋ナット９の軸状部がねじ挿通孔３ａと拡径掛合部７ｂとに嵌合して、座６を脚１に対し位置決め固定する。
さらに、図中符号１０はこの実施例の椅子の背を示し、ここにおける背１０はその背面から前方へ向けて斜め下方に延在するように上端部をその背面に固着された、背用嵌合部としてのパイプ状の背支持スライド１１を有しており、背支持スライド１１は背用支柱５の外側に摺動可能に嵌め合わされている。
そして、特に図１（ｂ）に示すように、ここにおける座６の底板６ｂの下面には、背座相対位置規制部としての二枚のブラケット１２が、それぞれ椅子の前後方向へ延在する鉛直面内に位置するように固設され、それらのブラケット１２には、後方へ行くほど高くなる案内長孔１２ａが形成されている。また、背支持スライド１１の下端部には、固定部材としてのピン支持部１３が突設されており、そのピン支持部１３は、両端部がブラケット１２の案内長孔１２ａ内に摺動可能に嵌合するスライドピン１４の中間部を固定支持している。
これにより、座６を脚１に対し上昇させるとともに背１０を脚１に対し上昇させると、座用支柱３が前傾する一方で背用支柱５が後傾しているので、座６が上昇するにつれて座６の前端と背１０とが離間する。またブラケット１２の案内長孔１２ａがスライドピン１４を介して背支持スライド１１を位置決めし、そのブラケット１２の案内長孔１２ａが後方へ行くほど高くなっているので、座６が上昇するにつれてその座６に対し背１０が上昇するように背１０と座６とが連携（連動）する。そして座６を脚１に対し固定すると、背１０も脚１に対し固定される。
従って、この第１実施例の背座可変学童椅子によれば、図３（ａ）〜（ｄ）に示すように、座６の高さを、教室用机・いすに関する日本工業規格ＪＩＳ  Ｓ−１０２１の２号〜５号に規定された四つの位置の一つである所望の位置に合わせるだけで、その座６に対する背１０の位置が自動的に上記規格に適合して位置するので、容易に座６と背１０の位置を上記規格に適合させて設定或いは変更することができる。
しかもこの第１実施例の背座可変学童椅子によれば、脚１に対し座６が上昇するにつれてその座６に対し背１０が上昇するようにそれら背１０と座６とが連携するので、上記教室用机・いすに関する日本工業規格に規定されたいすの寸法の、２号〜５号という広い範囲の号数に適合させることができる。
さらに、上記教室用机・いすに関する日本工業規格では号数が大きくなるにつれて座面の高さが高くなると同時に座面有効奥行きが増して座先端と背との距離が大きくなるところ、この第１実施例の背座可変学童椅子によれば、座支持手段が、脚１に前傾して設けられた座用支柱３と、座６に設けられて座用支柱３に摺動可能に嵌合する座支持スライド７と、座６を座用支柱３に固定位置変更可能に固定する手段としてのねじ挿通孔３ａ、拡径掛合部７ｂ付き長孔７ａ、スライド固定ねじ８および袋ナット９とを有していることから、座６の座面の高さが高くなるにつれて座用支柱３の前傾により座６の先端と背１０との距離が大きくなるので、背１０と座６の位置を容易に上記規格に適合させることができる。
またこの第１実施例の背座可変学童椅子によれば、背支持手段が、脚１に後傾して設けられた背用支柱５と、背１０に設けられて背用支柱５に摺動可能に嵌合する背支持スライド１１と、背１０を座６に固定位置変更可能に固定する手段としてのブラケット１２、ピン支持部１３およびスライドピン１４とを有していることから、背１０の高さが高くなるにつれて背用支柱５の後傾により座６の先端と背１０との距離が大きくなるので、背１０と座６の位置を容易に上記規格に適合させることができる。
さらにこの第１実施例の背座可変学童椅子によれば、背座連携手段が、座６に後方へ行くほど高くなるように長孔１２ａを設けられた背座相対位置規制部としてのブラケット１２と、背１０に設けられて長孔１２ａ内でブラケット１２に固定位置変更可能に固定される固定部材としての、ピン支持部１３で支持されたスライドピン１４とを有していることから、長孔１２ａ内でスライドピン１４が摺動することにより、容易に、脚１に対し座６が上昇するにつれてその座６に対し背１０が上昇するようにそれら背１０と座６と連携させることができる。
図４（ａ），（ｂ）は、上記第１実施例の背座可変学童椅子の一変形例を座を下げた状態と座を上げた状態とでそれぞれ示す側面図、図５（ａ），（ｂ）は、その変形例の背座可変学童椅子を固定ねじを緩めた状態と固定ねじを締め込んだ状態とでそれぞれ示す、図４のＶ−Ｖ線に沿う断面図であり、図中先の実施例と同様の部分はそれと同一の符号にて示す。この変形例の背座可変学童椅子と先の実施例とは、座６の支持構造と、座６と背１０とを連携させる背座連携手段とが相違するのみで、他の構成は同一であるから、以下にはその相違点のみを説明する。
すなわち、この変形例の背座可変学童椅子では、座６の支持構造として、第１実施例でのスライド固定ねじ８を使用せず、それゆえそのスライド固定ねじ８用の、座用支柱３のねじ孔と座支持スライド７の長孔７ａおよび拡径掛合部７ｂも設けていない。その代わりに、図４に示すように、座用支柱３および座支持スライド７内に通常のガススプリング１５を収納して、そのガススプリング１５のシリンダを座支持スライド７に固定するとともに、そのガススプリング１５のピストンロッドを座用支柱３に固定することで、座支持スライド７を介し座６を常時斜め上方へ付勢しており、その付勢力は、座支持スライド７および座６と、それに掛合した背支持スライド１１および背１０との重量と概ねバランスしている。従ってこの変形例によれば、僅かな力で座６と背１０とを上下させることができる。
またこの変形例の変形例の背座可変学童椅子では、座６と背１０とを連携させる背座連携手段として、第１実施例のように二枚のブラケット１２にそれぞれスライドピン１４の摺動を案内する案内長孔１２ａを形成してはいない。その代わりに、図４および図５に示すように、二枚のブラケット１２の一方には案内長孔１２ａを形成し、他方にはその案内長孔１２ａに対向する複数の位置（図４ではＪＩＳ  Ｓ−１０２１の２号〜５号にそれぞれ規定された背の位置に対応させた四箇所）にそれぞれ、後述する背座固定用ねじ１６ａのための孔および溶接ナット１２ｂを設けている。
さらにこの変形例では、図４および図５に示すように、スライドピン１４の代りに、上記背座固定用ねじ１６ａを一体的に有する号数選択ノブ１６を用いており、その背座固定用ねじ１６ａは、ワッシャ１７を介して一方のブラケット１２の案内長孔１２ａに挿通された後に、背支持スライド１１の下端部に突設されたピン支持部１３に挿通されてＣリング１８で抜け止めされ、さらに他方のブラケットの孔を通って溶接ナット１２ｂにねじ込まれる。
従って、この変形例の背座可変学童椅子によれば、号数選択ノブ１６を緩め方向に回して図５（ａ）に示すように背座固定用ねじ１６ａを溶接ナット１２ｂおよびブラケット１２の孔から抜き出すことで、背座固定用ねじ１６ａがブラケット１２の案内長孔１２ａに沿って摺動可能となり、しかもガススプリング１５による補助で、僅かな力で座６と背１０とを上下させることができるので、図４（ａ）に２号の状態、図４（ｂ）に５号の状態をそれぞれ示すように、座６と背１０との位置関係を所望の号数に容易に対応させることができ、その状態で選択ノブ１６を押し込むとともに締め込み方向に回して図５（ｂ）に示すように背座固定用ねじ１６ａを溶接ナット１２ｂ締め込むことで、座６と背１０との位置関係を所望の号数に容易にセットすることができる。
なお、この変形例においては、レバーを操作すると座用支柱３に対し座支持スライド７を解放し、レバーを離すと座用支柱３に対し座支持スライド７を任意の位置で固定する通常の座用ブレーキ機構を併用しても良い。
図６（ａ），（ｂ）は、この発明の背座可変学童椅子の第２実施例を示す斜視図およびそのＢ部の裏側を拡大して示す斜視図、図７（ａ），（ｂ）は、上記第２実施例の背座可変学童椅子をＪＩＳ  Ｓ−１０２１の２号対応状態で示す正面図および側面図、図８（ａ）〜（ｄ）は、上記第２実施例の背座可変学童椅子をＪＩＳ  Ｓ−１０２１の２号〜５号対応状態でそれぞれ示す側面図であり、図中先の実施例と同様の部分はそれと同一の符号にて示す。
この第２実施例の背座可変学童椅子は二本脚タイプのもので、図中符号１はこの実施例の椅子の脚を示し、ここにおける脚１は、互いに略平行に椅子の前後方向へ延在するとともに両端部に樹脂製の滑り止めを装着された左右二本の足フレーム２と、水平な床面に対し前傾する（上の部位ほど前方に位置する）ように配置されたパイプ状の座用支柱３と、水平な床面に対し後傾する（上の部位ほど後方に位置する）ように配置されて下端部を二本の足フレーム２の中間部にそれぞれ溶接固定された二本のパイプ状の背用支柱５と、それぞれ両端部を背用支柱５の上端部と座用支柱３の上端部とに溶接固定されて二本の背用支柱５と座用支柱３とを一体的に結合する左右二本のパイプ状の連結フレーム４とを有している。ここで、座用支柱３の上部と背用支柱５の中間部との左右両側には、左右二本の連結フレーム４内に連通するようにそれぞれねじ挿通孔３ａ，５ａが形成されている。
また、図中符号６はこの実施例の椅子の座を示し、ここにおける座６は、底板６ａを有するとともに、その底板６ａの下面から後方へ向けて斜め下方に延在するように上端部をその下面に固着された、座用嵌合部としてのパイプ状の座支持スライド７を有しており、座支持スライド７は座用支柱３の内側に摺動可能に嵌め合わされている。この座支持スライド７にはその軸線に沿って整列するように、ここではＪＩＳ  Ｓ−１０２１の２号〜５号にそれぞれ規定された座の位置に対応させて合計四箇所にねじ挿通孔７ｃが形成されている。
さらに、図中符号１０はこの実施例の椅子の背を示し、ここにおける背１０はその両側部から前方へ向けて斜め下方に延在するようにそれぞれ上端部をその背１０の両側部に固定された、背用嵌合部としてのパイプ状の二本の背支持スライド１１を有しており、それらの背支持スライド１１は背用支柱５の内側に摺動可能に嵌め合わされている。この背支持スライド１１にもその軸線に沿って整列するように、ここではＪＩＳ  Ｓ−１０２１の２号〜５号にそれぞれ規定された背の位置に対応させて合計四箇所にねじ挿通孔１１ａが形成されている。
そして、座用支柱３および背用支柱５に形成されたねじ挿通孔３ａ，５ａと、座支持スライド７および背支持スライド１１のねじ挿通孔７ｃ，１１ａとには、二本の連結フレーム４内を通って、両側の背用支柱５とその中の背支持スライド１１とそれらの間の座用支柱３とその中の座支持スライド７とを一度に貫通するように、一端部に頭部を持つ一本のスライド固定ねじ８が挿通され、そのスライド固定ねじ８の他端部には通常の袋ナット９が螺着されている。
これにより、スライド固定ねじ８に対して袋ナット９を緩めて外し、スライド固定ねじ８をねじ挿通孔３ａ，５ａ，７ｃ，１１ａから外に抜き出すと、座支持スライド７を座用支柱３に対し摺動させて座６を脚１に対し斜めに昇降させることが可能になるとともに、背支持スライド１１を背用支柱５に対し摺動させて背１０を脚１に対し斜めに昇降させることが可能になり、スライド７，１１の所望の号数に対応するねじ挿通孔７ｃ，１１ａと支柱３，５のねじ挿通孔３ａ，５ａとが整列する位置でスライド固定ねじ８をねじ挿通孔３ａ，５ａ，７ｃ，１１ａに挿通させて袋ナット９を締着すると、スライド固定ねじ８が座６および背１０を脚１に対し位置決め固定する。
そして、特に図６（ｂ）に示すように、ここにおける座６の底板６ｂにはその両側部を下方へ折り曲げることで、背座相対位置規制部としての二枚のブラケット１２が、それぞれ椅子の前後方向へ延在する鉛直面内に位置するように形成され、それらのブラケット１２には、後方へ行くほど高くなる案内長孔１２ａが形成されている。また、背支持スライド１１の中間部には、固定部材としてのここでは板状のピン支持部１３が後方へ向けて突設されており、そのピン支持部１３は、両端部がブラケット１２の案内長孔１２ａ内に摺動可能に嵌合するスライドピン１４の両端部を固定支持している。
これにより、座６を脚１に対し上昇させるとともに背１０を脚１に対し上昇させると、座用支柱３が前傾する一方で背用支柱５が後傾しているので、座６が上昇するにつれて座６の前端と背１０とが離間する。またブラケット１２の案内長孔１２ａがスライドピン１４を介して背支持スライド１１を位置決めし、そのブラケット１２の案内長孔１２ａが後方へ行くほど高くなっているので、座６が上昇するにつれてその座６に対し背１０が上昇するように背１０と座６とが連携（連動）する。
従って、この第２実施例の背座可変学童椅子によれば、図８（ａ）〜（ｄ）に示すように、座６の高さを、教室用机・いすに関する日本工業規格ＪＩＳ  Ｓ−１０２１の２号〜５号に規定された四つの位置の一つである所望の位置に合わせるだけで、その座６に対する背１０の位置が自動的に上記規格に適合して位置するので、容易に座６と背１０の位置を上記規格に適合させて設定或いは変更することができる。
しかもこの第２実施例の背座可変学童椅子によれば、脚１に対し座６が上昇するにつれてその座６に対し背１０が上昇するようにそれら背１０と座６とを連携させるので、上記教室用机・いすに関する日本工業規格に規定されたいすの寸法の、２号〜５号という広い範囲の号数に適合させることができる。
さらに、上記教室用机・いすに関する日本工業規格では号数が大きくなるにつれて座面の高さが高くなると同時に座面有効奥行きが増して座先端と背との距離が大きくなるところ、この第２実施例の背座可変学童椅子によれば、座支持手段が、脚１に前傾して設けられた座用支柱３と、座６に設けられて座用支柱３に摺動可能に嵌合する座支持スライド７と、座６を座用支柱３に固定位置変更可能に固定する手段としてのねじ挿通孔３ａ，７ｃ、スライド固定ねじ８および袋ナット９とを有していることから、座６の座面の高さが高くなるにつれて座６の先端と背１０との距離が大きくなるので、背１０と座６の位置を容易に上記規格に適合させることができる。
またこの第２実施例の背座可変学童椅子によれば、背支持手段が、脚１に後傾して設けられた背用支柱５と、背１０に設けられて背用支柱５に摺動可能に嵌合する背支持スライド１１と、背１０を座６に固定位置変更可能に固定する手段としてのねじ挿通孔５ａ，１１ａ、スライド固定ねじ８および袋ナット９とを有していることから、背１０の高さが高くなるにつれて座６の先端と背１０との距離が大きくなるので、背１０と座６の位置を容易に上記規格に適合させることができる。
さらにこの第２実施例の背座可変学童椅子によれば、背座連携手段が、座６に後方へ行くほど高くなるように長孔１２ａを設けられた背座相対位置規制部としてのブラケット１２と、背１０に設けられて長孔１２ａ内でブラケット１２に固定位置変更可能に固定される、ピン支持部１３で支持されたスライドピン１４とを有していることから、容易に、脚１に対し座６が上昇するにつれてその座６に対し背１０が上昇するようにそれら背１０と座６と連携させることができる。
以上、図示例に基づき説明したが、この発明は上述の例に限定されるものでなく、例えば、背座相対位置規制部としてのブラケット１２を背１０側に設けるとともに、スライドピン１４や号数選択ノブ１６を座６側に設けても良く、また座用固定手段や背用固定手段を、スプリングで突出方向に付勢した位置決めピンを固定嵌合部に嵌合させる構造として、その位置決めピンを押し込むことで容易に固定位置を変更し得るようにしても良い。さらに、教室用机・いすに関する日本工業規格がＪＩＳ  Ｓ−１０２１の番号のまま改定され、あるいはその番号以外のものに改定された場合に、その改定された日本工業規格に背・座の寸法を対応させても良い。そして、ガススプリング１５に代えてエアシリンダや油圧シリンダ等のアクチュエータを用いても良い。
さらに、この発明の背座可変椅子は、学童椅子に限定されず、一般用の椅子にも適用することができる。
【産業上の利用可能性】  かくしてこの発明の背座可変椅子によれば、着座する人の身長に適合させて座の高さを所望の位置に合わせるだけで、その座の位置に連携して背の位置が着座する人の身長に適合するので、椅子の座と背を着座する人の身長に容易に適合させることができる。
2005074750.tif 000002
2005074750.tif 000003
2005074750.tif 000004
2005074750.tif 000005
2005074750.tif 000006
2005074750.tif 000007
2005074750.tif 000008
2005074750.tif 000009
【図９】
2005074750.tif 000010
【国際調査報告】
2005074750.tif 000011
2005074750.tif 000012
2005074750.tif 000013
2005074750.tif 000014